(57)【特許請求の範囲】
【請求項１】
下階および上階のそれぞれにおいて横方向に間隔をあけて並設された複数の壁付構造体と、
横方向に隣り合う前記壁付構造体同士を繋ぐ梁構造体と、を備えるコンクリート造架構であって、
前記壁付構造体は、耐震壁と、前記耐震壁の上側に形成された梁と、前記耐震壁の両側に形成された一対の柱と、前記梁の両側に形成されたパネルゾーンとを有し、かつ、少なくとも前記耐震壁の一部および前記梁の一部がプレキャスト化されており、
前記梁構造体は、その少なくとも一部がプレキャスト化されている、ことを特徴とするコンクリート造架構。
【請求項２】
耐震壁用の壁ＰＣａ部と、
前記壁ＰＣａ部の上側に一体成形された梁ＰＣａ部と、
前記壁ＰＣａ部の両側に一体成形された一対の柱ＰＣａ部と、
前記梁ＰＣａ部の両側に一体成形された一対のパネルゾーン用残存型枠と、を有することを特徴とするプレキャストコンクリート部材。
【請求項３】
耐震壁用の壁ＰＣａ部と、
前記壁ＰＣａ部の上側に一体成形された梁ＰＣａ部と、
前記壁ＰＣａ部の両側に一体成形された一対の柱用残存型枠と、
前記壁ＰＣａ部の両側に配置された一対の柱用鉄筋籠と、
前記梁ＰＣａ部の両側に一体成形された一対のパネルゾーン用残存型枠と、を有することを特徴とするプレキャストコンクリート部材。
【発明の詳細な説明】
【技術分野】
【０００１】
本発明は、コンクリート造架構およびプレキャストコンクリート部材に関する。
【背景技術】
【０００２】
プレキャストコンクリート部材を利用してコンクリート造架構を構築する技術が特許文献１，２に開示されている。特許文献１のプレキャストコンクリート部材は、耐震壁の上下に梁を一体化するとともに、耐震壁の左右に柱を一体化したものである。また、特許文献２のプレキャストコンクリート部材は、田の字状を呈するものである。
【先行技術文献】
【特許文献】
【０００３】
【特許文献１】特公昭５０−２５７２９号公報
【特許文献２】特開２０１０−５９６４６号公報
【発明の概要】
【発明が解決しようとする課題】
【０００４】
特許文献１には、複数のプレキャストコンクリート部材を立面視千鳥状（市松状）に配置する形態が開示されているものの、具体的な接合構造や施工方法は不明である。
【０００５】
特許文献２の技術では、プレキャストコンクリート部材を縦横に隙間無く配置する必要があるので、プレキャストコンクリート部材を建て込む際に、隣接する他のプレキャストコンクリート部材に接触する虞があり、欠けやひび割れが懸念される。また、プレキャストコンクリート部材同士の目違いを防止するための取付精度管理も大変である。特に躯体と外装を兼用した場合などにおいては、高い取付精度が要求されるため、建て込み作業に多大な手間暇を要する場合もある。
【０００６】
このような観点から、本発明は、プレキャストコンクリート部材を利用したコンクリート造架構であって、構築作業の効率化を図ることが可能なコンクリート造架構を提供することを課題とし、さらには、コンクリート造架構を効率良く構築することが可能なプレキャストコンクリート部材を提供することを課題とする。
【課題を解決するための手段】
【０００７】
本発明に係るコンクリート造架構は、下階および上階のそれぞれにおいて横方向に間隔をあけて並設された複数の壁付構造体と、横方向に隣り合う前記壁付構造体同士を繋ぐ梁構造体と、を備えるコンクリート造架構であって、前記壁付構造体は、耐震壁と、前記耐震壁の上側に形成された梁と、前記耐震壁の両側に形成された一対の柱と、前記梁の両側に形成されたパネルゾーンとを有し、かつ、少なくとも前記耐震壁の一部および前記梁の一部がプレキャスト化されており、前記梁構造体は、その少なくとも一部がプレキャスト化されている、ことを特徴とする。
【０００８】
本発明に係るコンクリート造架構によれば、横方向に隣り合う壁付構造体同士の間に間隔を設けているので、縦横に隙間無く配置する場合に比べて、壁付構造体の素となるプレキャストコンクリート部材をスムーズに建て込むことが可能となる。
【０００９】
なお、例えば、大型の揚重機械を使用できない場合や揚重機械の作業半径が大きい場合（重量物を吊持できないような場合）には、壁付構造体の耐震壁および梁部だけをプレキャスト化してプレキャスト化率を低くすればよく、大型の揚重機械を使用できる場合や揚重機械の作業半径が小さい場合には、耐震壁および梁に加えて柱やパネルゾーンをプレキャスト化してプレキャスト化率を高めればよい。プレキャスト化率を調整すれば、揚重機械の選定作業や配置計画等が容易になり、ひいては、仮設工事の効率化を図ることができる。
【００１０】
梁構造体は、その躯体部分の全部をプレキャスト化してもよいし、躯体部分の一部をプレキャスト化し、残部を場所打ちコンクリートとしてもよい。また、梁構造体の躯体部分の全部を現場打ちコンクリートとし、梁構造体の表層部をプレキャスト化してもよい。なお、プレキャスト化された表層部は、残存型枠や仕上げ材として利用すればよい。
【００１１】
本発明に係るコンクリート造架構においては、下階の前記壁付構造体同士を繋ぐ前記梁構造体のうちのプレキャスト化された部分に、上階用の前記壁付構造体の前記耐震壁を載置するとよい。このようにすると、複数の耐震壁が立面視千鳥状（市松状）に配置されるようになるので、前記壁付構造体および前記梁構造体が建物の外装を兼ねている場合には、斬新なファサードを形成することができる。
【００１２】
前記パネルゾーンを場所打ちコンクリートによって形成する場合には、前記梁構造体の梁主筋と前記梁の梁主筋との継手位置を前記パネルゾーンに設けるとよい。このようにすると、場所打ちコンクリートを打設する必要のある鉄筋継手用の空間を別途確保する必要がなくなるので、壁付構造体あるいは梁構造体のプレキャスト化率を高めることが可能となる。なお、前記梁構造体の梁主筋と前記梁の梁主筋を鉄筋継手で連結せずに、パネルゾーンに定着してもよい。
【００１３】
なお、建物の階数を増加する改築が予定されている場合には、建物の屋上部分に、パラペットを兼ねる屋上構造体を配置するとよい。パラペットを非構造体とすると、増築時にパラペットを撤去あるいは補強する作業が必要になるが、屋上構造体をパラペットとしておけば、供用中の建物の屋上部分において大規模な解体作業等を行わずとも、増築用の壁等を継ぎ足すことができるので、効率良く建物を増築することが可能となる。
【００１４】
前記壁付構造体および前記梁構造体が建物の外装を兼ねている場合には、壁付構造体同士の間に形成された空間に、所謂サッシレス窓を設けるとよい。サッシレス窓であれば、窓を構成する部材が窓ガラス、シールおよび若干の金物（例えば、押し縁等）だけとなるので、部材点数を少なくすることが可能となり、ひいては、工期短縮および工費削減を図ることが可能となる。また、前記空間に、非構造材である外装材（軽量気泡コンクリート板や押出成形セメント板など）を取り付けてもよい。なお、前記空間の開口幅が小さい場合には、下地横架材を省略し、前記壁付構造体および前記梁構造体に直に外装材を取り付けることが好ましい。
【００１５】
本発明に係る第一のプレキャストコンクリート部材は、耐震壁用の壁ＰＣａ部と、前記壁ＰＣａ部の上側に一体成形された梁ＰＣａ部と、前記壁ＰＣａ部の両側に一体成形された一対の柱ＰＣａ部と、前記梁ＰＣａ部の両側に一体成形された一対のパネルゾーン用残存型枠と、を有することを特徴とする。
【００１６】
また、本発明に係る第二のプレキャストコンクリート部材は、耐震壁用の壁ＰＣａ部と、前記壁ＰＣａ部の上側に一体に形成された梁ＰＣａ部と、前記壁ＰＣａ部の両側に一体成形された一対の柱用残存型枠と、前記壁ＰＣａ部の両側に配置された一対の柱用鉄筋籠と、前記梁ＰＣａ部の両側に一体成形された一対のパネルゾーン用残存型枠と、を有することを特徴とする。
【００１７】
本発明に係るプレキャストコンクリート部材によれば、耐震壁に加えて、耐震壁の上側に配置される梁がプレキャスト化されており、さらには、パネルゾーン用残存型枠が付設されているので、コンクリート造架構を効率良く構築することが可能となる。
【発明の効果】
【００１９】
本発明に係るコンクリート造架構によれば、構築作業の効率化を図ることが可能となる。
また、本発明に係るプレキャストコンクリート部材によれば、コンクリート造架構を効率良く構築することが可能となる。
【図面の簡単な説明】
【００２０】
【図１】本発明の実施形態に係るコンクリート造架構の正面図である。
【図２】（ａ）は図１のＸ１−Ｘ１線断面図、（ｂ）は図１のＸ２−Ｘ２線断面図、（ｃ）は図１のＹ１−Ｙ１線断面図である。
【図３】壁付構造体用のプレキャストコンクリート部材を背面側から見たときの斜視図である。
【図４】壁付構造体用のプレキャストコンクリート部材の配筋図であって、（ａ）は背面図、（ｂ）は（ａ）のＹ２−Ｙ２線断面図、（ｃ）は（ａ）のＹ３−Ｙ３線断面図である。
【図５】（ａ）は梁構造体用のプレキャストコンクリート部材を背面側から見たときの斜視図である。（ｂ）〜（ｄ）は梁構造体用のプレキャストコンクリート部材の配筋図であって、（ｂ）は背面図、（ｃ）は（ｂ）のＹ４−Ｙ４線断面図、（ｄ）は（ｂ）のＸ３−Ｘ３線断面図である。
【図６】本発明の実施形態に係るコンクリート造架構の構築手順を示す平面図である。
【図７】図６に続く手順を示す背面図である。
【図８】（ａ）〜（ｃ）は図７に続く手順を示す断面図である。
【図９】（ａ）〜（ｃ）は図８に続く手順を示す断面図である。
【図１０】図９に続く手順を示す背面図である。
【図１１】図１０に続く手順を示す背面図である。
【図１２】（ａ）〜（ｃ）は、屋上構造体を示す断面図である。
【図１３】壁付構造体用のプレキャストコンクリート部材の変形例を背面側から見たときの斜視図である。
【発明を実施するための形態】
【００２１】
本発明の実施形態に係るコンクリート造架構は、多層階建ての建物に適用されるものであり、図１に示すように、下階および上階のそれぞれにおいて横方向に間隔をあけて並設された複数の壁付構造体Ａ，Ａ，…と、横方向に隣り合う壁付構造体Ａ，Ａを繋ぐ梁構造体Ｂ，Ｂ，…と、を備えている。本実施形態のコンクリート造架構は、建物の外周に形成されており、かつ、建物の外装（外壁）を兼ねている。
【００２２】
コンクリート造架構が適用される建物の用途に制限はないが、大きな窓開口を必要としないＩＴ・通信施設（データセンターなど）や工場等の生産施設・倉庫等に好適である。なお、以下の説明においては、屋外側の側面を「正面」、屋内側の側面を「背面」と称する。
【００２３】
壁付構造体Ａ，Ａ，…は、正面視した際に市松模様状のファサードとなるよう、千鳥状に配置されている。横方向に隣り合う壁付構造体Ａ，Ａの間には、窓開口となる空間Ｖが設けられている。上階の壁付構造体Ａは、下階の壁付構造体Ａの斜め上方に配置されていて、下階の梁構造体Ｂを跨いでいる。
【００２４】
壁付構造体Ａは、耐震壁１と、耐震壁１の上側に形成された梁２と、耐震壁１の両側に形成された一対の柱３，３と、梁２の両側に形成された一対のパネルゾーン４，４とを備えている。なお、図１中の破線は、各部の境界を示す仮想線である。壁付構造体Ａは、鉄筋コンクリート構造であり、本実施形態では、図２中のハッチングを付した部分がプレキャスト化されている。
【００２５】
なお、図２において、ドット模様を付した部分は、場所打ちコンクリートにて形成された部分である。また、図２中の破線は、各部の境界を示す仮想線である。
【００２６】
耐震壁１は、図２の（ａ）に示すように、所謂フルプレキャストであり、その躯体部分の全部がプレキャスト化されている。耐震壁１の幅寸法は、壁付構造体Ａの幅寸法の１／３〜１／２に設定されている。
【００２７】
耐震壁１には壁縦筋１ａと壁横筋１ｂとが配筋されている。壁縦筋１ａおよび壁横筋１ｂは、耐震壁１の正面側および背面側のそれぞれにおいて格子状に組み合わされている。壁横筋１ｂは、横方向に沿って配筋されていて、壁横筋１ｂの両端部は、柱３，３のコンクリートに定着されている。壁縦筋１ａは、上下方向に沿って配筋されている。図２の（ｃ）に示すように、壁縦筋１ａの上端部（定着部）は、Ｌ字状に折り曲げられており、梁２のコンクリートに定着されている。壁縦筋１ａの下端部は、Ｌ字状の定着筋１ｃに連結されている。定着筋１ｃは、鉄筋をＬ字状に折り曲げて形成したものであり、鉄筋継手用のスリーブ１ｄを介して壁縦筋１ａの下端部と連結されている。
【００２８】
梁２は、所謂ハーフプレキャストであり、その躯体部分の一部がプレキャスト化されている。梁２は、耐震壁１の壁厚よりも大きな梁幅を有し、耐震壁１から張り出している。なお、梁２は、壁内梁（梁幅が耐震壁１の壁厚と同じ）としてもよい。本実施形態では、梁２の躯体部分のうち、耐震壁１の直上に位置する部分をプレキャストコンクリートにて形成し、耐震壁１の背面よりも室内側に張り出した部分を場所打ちコンクリートにて形成している。なお、図示は省略するが、梁２には、床スラブや小梁が接続される。
【００２９】
梁２には、上下二段に並設された複数の梁主筋２ａ，２ａ…と、これらを取り囲むスターラップ（図２では図示略）とが配筋されている。図２の（ｂ）に示すように、梁主筋２ａは、横方向に沿って配筋されていて、梁主筋２ａの両端部は、パネルゾーン４，４に延出している。
【００３０】
柱３は、図２の（ａ）に示すように、フルプレキャストであり、その躯体部分の全部がプレキャスト化されている。柱３の断面形状は、矩形を呈しており、柱３の正面は、耐震壁１の正面と面一になっている。本実施形態では、柱３の幅寸法を、耐震壁１の幅寸法の１／２以上、１以下とし、柱３の奥行き寸法を、耐震壁３の奥行き（厚さ）寸法と同じにしている。なお、本実施形態では、柱３を壁内柱（柱の奥行き寸法が耐震壁１の壁厚と同じ）としたが、柱３の奥行き寸法を耐震壁１の壁厚よりも大きくしても差し支えない。
【００３１】
柱３には、柱主筋３ａとフープ筋（図２では図示略）とが配筋されている。柱主筋３ａは、上下方向に沿って配筋されている。
【００３２】
パネルゾーン４は、図２の（ｂ）に示すように、その躯体部分（梁主筋２ａ，５ａと柱主筋３ａが配筋された部分）の全部が場所打ちコンクリートからなり、正面側の表層部のみが残存型枠Ａ４としてプレキャスト化されている。なお、図示は省略するが、パネルゾーン４には、床スラブや大梁が接続される。
【００３３】
梁構造体Ｂは、図１に示すように、横方向に隣り合う壁付構造体Ａ，Ａの梁２，２の間に配置されている。壁付構造体Ａの梁２と梁構造体Ｂとを交互に連ねることにより、境界梁（外周梁）となる。
【００３４】
梁構造体Ｂは、図２の（ｂ）に示すように、所謂ハーフプレキャストであり、その躯体部分の一部がプレキャスト化されている。梁構造体Ｂは、図２の（ｃ）に示すように、耐震壁１の壁厚よりも大きな梁幅を有し、耐震壁１から張り出している。なお、図示は省略するが、梁構造体Ｂの梁幅を耐震壁１の壁厚と同じにしてもよい。本実施形態では、梁構造体Ｂの躯体部分のうち、耐震壁１の直下に位置する部分をプレキャストコンクリートにて形成し、耐震壁１の背面よりも室内側に張り出した部分を場所打ちコンクリートにて形成している。なお、図示は省略するが、梁構造体Ｂには、床スラブや小梁が接続される。
【００３５】
梁構造体Ｂには、梁主筋５ａのほか、スターラップやトラス筋（図２では図示略）が配筋されている。梁主筋５ａは、図２の（ａ）に示すように、横方向に沿って配筋されている。梁主筋５ａの両端部は、パネルゾーン４，４に延出していて、パネルゾーン４，４内において梁２の梁主筋２ａと連結されている。
【００３６】
なお、本実施形態では、機械式継手であるスリーブ２ｄを介して梁主筋２ａ，５ａを連結しているが、継手形式を限定する趣旨ではない。機械式継手に代えて、重ね継手、ガス圧接継手、溶接継手などを用いても勿論差し支えない。また、梁主筋２ａ，５ａを連結せず、各々をパネルゾーン４に定着してもよい。梁主筋２ａ，５ａを連結しない場合には、梁主筋２ａ，５ａの端部に定着金物を装着するか、あるいは、梁主筋２ａ，５ａの端部を折り曲げて定着長を大きくすることが好ましい。
【００３７】
壁付構造体Ａは、図３および図４に示すプレキャストコンクリート部材Ａ’（以下「第一プレキャスト部材Ａ’」という。）を利用して形成し、梁構造体Ｂは、図５に示すプレキャストコンクリート部材Ｂ’（以下「第二プレキャスト部材Ｂ’」という。）を利用して形成する。
【００３８】
第一プレキャスト部材Ａ’は、壁ＰＣａ部Ａ１と、梁ＰＣａ部Ａ２と、一対の柱ＰＣａ部Ａ３，Ａ３と、一対のパネルゾーン用残存型枠Ａ４，Ａ４とを備えている。壁ＰＣａ部Ａ１、梁ＰＣａ部Ａ２、柱ＰＣａ部Ａ３，Ａ３およびパネルゾーン用残存型枠Ａ４，Ａ４は、一体成形されている。第一プレキャスト部材Ａ’の正面側のコンクリート面は、外装面（化粧面）となる。
【００３９】
壁ＰＣａ部Ａ１は、耐震壁１（図１，２参照）となる部分である。図４の（ａ）および（ｂ）に示すように、壁ＰＣａ部Ａ１には、壁縦筋１ａおよび壁横筋１ｂが配筋されている。また、壁ＰＣａ部Ａ１の下端部には、鉄筋継手用のスリーブ１ｄが埋設されており、さらには、スリーブ１ｄに至る充填孔および空気抜き孔が形成されている。壁縦筋１ａの下端部は、スリーブ１ｄに接続されている。壁縦筋１ａの上端部（定着部）は、梁ＰＣａ部Ａ２内で折れ曲がり、梁ＰＣａ部Ａ２の背面から突出している。
【００４０】
梁ＰＣａ部Ａ２は、梁２（図１，２参照）の躯体部分の一部となる部分であり、壁ＰＣａ部Ａ１の上側に形成されている。梁ＰＣａ部Ａ２には、梁主筋２ａおよびスターラップ２ｂに加えて、壁縦筋１ａの上端部（定着部）、トラス筋４ａ（図４の（ｂ）参照）などが配筋されている。
【００４１】
図４の（ｂ）に示すように、梁ＰＣａ部Ａ２の正面側（図４の（ｂ）においては左側）のコンクリート面は、壁ＰＣａ部Ａ１の正面側のコンクリート面よりも僅かに突出している。梁ＰＣａ部Ａ２の背面側（図４の（ｂ）においては右側）のコンクリート面は、壁ＰＣａ部Ａ１の背面側のコンクリート面と面一になっている。図３にも示すように、梁ＰＣａ部Ａ２の背面側のコンクリート面からは、壁縦筋１ａの定着部とスターラップ２ｂとが突出している。また、梁ＰＣａ部Ａ２のコンクリート端面からは、梁主筋２ａが突出している。
【００４２】
梁ＰＣａ部Ａ２のコンクリート上面には、窓嵌め溝２ｅが形成されている。窓嵌め溝２ｅには、図示せぬ窓ガラスの下縁部が嵌め込まれる。
【００４３】
柱ＰＣａ部Ａ３は、柱３（図１，２参照）となる部分であり、壁ＰＣａ部Ａ１の両側に形成されている。柱ＰＣａ部Ａ３には、図４の（ａ）および（ｃ）に示すように、柱主筋３ａおよびフープ筋３ｂが配筋されている。また、柱ＰＣａ部Ａ３の下端部には、鉄筋継手用のスリーブ３ｄが埋設されており、さらには、スリーブ３ｄに至る充填孔および空気抜き孔が形成されている。スリーブ３ｄには、柱主筋３ａの下端部は接続されている。図３にも示すように、柱ＰＣａ部Ａ３のコンクリート上端面からは、柱主筋３ａが突出している。柱主筋３ａの上端部は、パネルゾーン用残存型枠Ａ４の上端面よりも上方にまで延出している（図４の（ｃ）参照）。なお、柱主筋３ａの上端部は、上階の第一プレキャスト部材Ａ’のスリーブ３ｄに挿入される。
【００４４】
柱ＰＣａ部Ａ３のコンクリート側面には、図３に示すように、窓嵌め溝３ｅが形成されている。窓嵌め溝３ｅには、図示せぬ窓ガラスの側縁部が嵌め込まれる。
【００４５】
パネルゾーン用残存型枠Ａ４は、パネルゾーン４（図１，２参照）に場所打ちコンクリートを打設する際の型枠として利用され、コンクリート硬化後においてはそのまま残置される。パネルゾーン用残存型枠Ａ４の正面側のコンクリート面は、外装面（化粧面）となる。本実施形態のパネルゾーン用残存型枠Ａ４は、板状を呈していて、梁ＰＣａ部Ａ２の両側に形成されている。パネルゾーン用残存型枠Ａ４の一方の側縁部は、梁ＰＣａ部Ａ２の正面側のコンクリート表層部に繋がっており、パネルゾーン用残存型枠Ａ４の下縁部は、柱ＰＣａ部Ａ３の正面側のコンクリート表層部に繋がっている。図４の（ｃ）に示すように、パネルゾーン用残存型枠Ａ４には、トラス筋４ａが配筋されている。トラス筋４ａの一部は、パネルゾーン用残存型枠Ａ４の背面側のコンクリート面から突出している。トラス筋４ａは、左右のパネルゾーン４，４で共通であり、トラス筋４ａの中央部は、梁２の正面側の表層部に埋設されている（図４の（ｂ）参照）。
【００４６】
図５に示す第二プレキャスト部材Ｂ’は、梁構造体Ｂの躯体部分の一部となる部分である。第二プレキャスト部材Ｂ’には、梁主筋５ａおよびスターラップ５ｂに加えて、トラス筋５ｃ（図５の（ｃ）および（ｄ）参照）、定着筋１ｃなどが配筋されている。スターラップ５ｂは、複数の梁主筋５ａ，５ａ…を取り囲むように配筋されている。図５の（ｃ）および（ｄ）に示すように、トラス筋５ｃは、梁構造体Ｂの正面側の表層部に配筋されている。
【００４７】
第二プレキャスト部材Ｂ’の背面側のコンクリート面からは、定着筋１ｃの水平部とスターラップ５ｂとが突出しており、第二プレキャスト部材Ｂ’の上面からは、定着筋１ｃの鉛直部が突出している。また、第二プレキャスト部材Ｂ’のコンクリート端面からは、梁主筋５ａが突出している。
【００４８】
第二プレキャスト部材Ｂ’の下面には、図５の（ａ）および（ｂ）に示すように、窓嵌め溝５ｅが形成されている。窓嵌め溝５ｅには、図示せぬ窓ガラスの上縁部が嵌め込まれる。
【００４９】
次に、本実施形態に係るコンクリート造架構の構築方法を説明する。なお、以下に示す建物は、広い室内空間を確保できる片コアタイプの建物である。
図６に示すように、まず、コア部分Ｅを除く建物の外周に沿って複数の第一プレキャスト部材Ａ’，Ａ’，…を設置する。第一プレキャスト部材Ａ’，Ａ’，…は、横方向に間隔をあけて並設する。
【００５０】
続いて、図７に示すように、横方向に隣り合う第一プレキャスト部材Ａ’，Ａ’の間に、第二プレキャスト部材Ｂ’を設置し、パネルゾーン用残存型枠Ａ４の前方で梁主筋２ａ，５ａを突き合わせ、スリーブ２ｄを介して連結する。図７中の符号Ｊは、梁主筋２ａ，５ａの継手位置を示すものである。なお、第二プレキャスト部材Ｂ’は、図示せぬ支保工で仮支持する。
【００５１】
続いて、図８の（ａ）〜（ｃ）に示すように、梁ＰＣａ部Ａ２に隣接する領域、パネルゾーン用残存型枠Ａ４の前方の領域（パネルゾーン４となる領域）および第二プレキャスト部材Ｂ’に隣接する領域に、型枠Ｋ１〜Ｋ３を配置する。その後、梁ＰＣａ部Ａ２の正面側のコンクリート面と型枠Ｋ１で囲まれた領域、パネルゾーン用残存型枠Ａ４と型枠Ｋ２とで囲まれた領域および第二プレキャスト部材Ｂ’の正面側のコンクリート面と型枠Ｋ３とで囲まれた領域に場所打ちコンクリートを打設する。なお、場所打ちコンクリート内に埋設される梁主筋は、第一プレキャスト部材Ａ’および第二プレキャスト部材Ｂ’に予め取り付けておく「先組み」としてもよいし、現場で配筋してもよい。
【００５２】
而して場所打ちコンクリートを養生すると、図９の（ａ）〜（ｃ）に示すように、下階の壁付構造体Ａおよび梁構造体Ｂのうちの場所打ちコンクリート部分（梁２の躯体部分の一部，パネルゾーン４の躯体部分（残存型枠を除く部分）、梁構造体Ｂの躯体部分の一部）が形成され、下階の壁付構造体Ａおよび梁構造体Ｂが完成する。なお、壁付構造体Ａおよび梁構造体Ｂに接続される床スラブや小梁・大梁（図示略）を場所打ちコンクリートにて形成する場合には、図８の工程においてコンクリート打設を行えばよい。
【００５３】
下階の壁付構造体Ａ，Ａ，…および梁構造体Ｂ，Ｂ，…が形成されたら、図１０に示すように、下階の壁付構造体Ａ，Ａ，…および梁構造体Ｂ，Ｂ，…の上に、上階の第一プレキャスト部材Ａ’，Ａ’，…を設置する。上階の第一プレキャスト部材Ａ’，Ａ’，…も、横方向に間隔をあけて並設するが、正面視した際に市松模様状のファサードとなるよう、各第一プレキャスト部材Ａ’は、下階の空間Ｖを跨ぐように配置する。
【００５４】
より具体的には、下階の梁構造体Ｂのうちのプレキャスト化された部分（＝第二プレキャスト部材Ｂ’）に、上階の第一プレキャスト部材Ａ’の壁ＰＣａ部Ａ１を載置し、下階の梁構造体Ｂの左側に位置する壁付構造体Ａの上に、左側の柱ＰＣａ部Ａ３を位置させ、下階の梁構造体Ｂの右側に位置する壁付構造体Ａの上に、右側の柱ＰＣａ部Ａ３を位置させる。
【００５５】
上階の第一プレキャスト部材Ａ’を設置する際には、下階の梁構造体Ｂから突出する定着筋１ｃを壁ＰＣａ部Ａ１のスリーブ１ｄ（図２参照）に挿入し、かつ、下階の壁付構造体Ａのパネルゾーン４から突出する柱主筋３ａを柱ＰＣａ部Ａ３のスリーブ３ｄ（図２参照）に挿入する。
【００５６】
その後、下階の梁構造体Ｂと上階の壁ＰＣａ部Ａ１との間およびスリーブ１ｄ（図２参照）の内部をグラウト等の充填材で満たすと、下階の梁構造体Ｂと上階の壁ＰＣａ部Ａ１とが構造的に一体となり、下階の壁付構造体Ａのパネルゾーン４と上階の柱ＰＣａ部Ａ３との間およびスリーブ３ｄ（図２参照）の内部をグラウト等の充填材で満たすと、下階の壁付構造体Ａと上階の柱ＰＣａ部Ａ３とが構造的に一体となる。
【００５７】
次に、上階において横方向に隣り合う第一プレキャスト部材Ａ’，Ａ’の間に、第二プレキャスト部材Ｂ’を設置し、梁主筋２ａ，５ａを連結する（図７参照）。その後、図８の場合と同じように型枠を設置し、場所打ちコンクリートを打設すると、図１１に示すように、上階の壁付構造体Ａおよび梁構造体Ｂが形成される。
【００５８】
上記のような手順を適宜繰り返すと、多層階建の建物に対応したコンクリート造架構が得られる。
【００５９】
なお、図示は省略するが、壁付構造体Ａ，Ａの間の空間Ｖには、サッシレス窓を形成する。サッシレス窓用の窓ガラスは、壁付構造体用ＰＣａ部材Ａ’の窓嵌め溝２ｅ，３ｅ（図３参照）および梁構造体用ＰＣａ部材Ｂ’の窓嵌め溝５ｅ（図５参照）に嵌め込む。サッシレス窓であれば、窓を構成する部材が窓ガラス、シールおよび若干の金物（例えば、押し縁等）だけとなるので、部材点数を少なくすることが可能となり、ひいては、工期短縮および工費削減を図ることが可能となる。
【００６０】
また、図示は省略するが、空間Ｖに、非構造材である外装材（軽量気泡コンクリート板や押出成形セメント板など）を取り付けてもよい。なお、下地横架材は省略し、壁付構造体Ａおよび梁構造体Ｂに直に外装材を取り付ける。
【００６１】
増築が予定されている場合には、図１２に示すように、建物の屋上部分に、パラペットを兼ねる屋上構造体Ｃを設ける。屋上構造体Ｃは、鉄筋コンクリート構造であり、増築階の耐震壁および柱の一部として機能し得るよう、柱主筋３ａ、壁縦筋、壁横筋（図示略）などが配筋されている。屋上構造体Ｃの壁縦筋の下端部は、壁付構造体Ａまたは梁構造体Ｂ（図視略）に定着されており、屋上構造体Ｃの柱主筋３ａは、壁付構造体Ａの柱主筋と連結されている。
【００６２】
図１２の（ａ）および（ｂ）に示すように、屋上構造体Ｃの柱主筋３ａや壁縦筋（図示略）は、屋上構造体Ｃの上面から突出させておくとよい。柱主筋３ａおよび壁縦筋は、一本ずつキャップ６ａで覆うか（図１２の（ａ）参照）、あるいは、外周方向に連続するカバー６ｂで覆うとよい（図１２の（ｂ）参照）。ちなみに、図示のカバー６ｂは、笠木を兼ねている。また、図１２の（ｃ）に示すように、屋上構造体Ｃに鉄筋継手用のスリーブ６ｃを埋設しておいてもよい。スリーブ６ｃは、例えば、笠木を兼ねるカバー６ｄで覆うとよい。
【００６３】
以上説明した本実施形態に係るコンクリート造架構によれば、横方向に隣り合う壁付構造体Ａ，Ａの間に間隔を設けているので、縦横に隙間無く配置する場合に比べて、壁付構造体Ａの素となる第一プレキャスト部材Ａ’をスムーズに建て込むことが可能となる。
【００６４】
また、本実施形態に係るコンクリート造架構においては、梁構造体Ｂのうちのプレキャスト化された部分（すなわち、第二プレキャスト部材Ｂ’）に、上階用の壁付構造体Ａの耐震壁１（第一プレキャスト部材Ａ’の壁ＰＣａ部Ａ１）を載置しているので（図１参照）、複数の耐震壁１，１，…が立面視千鳥状（市松状）に配置されるようになり、その結果、斬新なファサードを形成することができる。
【００６５】
また、本実施形態では、耐震壁１の幅寸法を壁付構造体Ａの幅寸法の１／３〜１／２に設定し、柱３，３間の離隔距離を小さくしたので、梁２および梁構造体Ｂに作用する曲げモーメントが小さくなり、ひいては、梁主筋２ａ，５ａの鉄筋量を削減すること可能となり、あるいは、梁２および梁構造体Ｂのスリム化を図ることが可能となる。
【００６６】
また、本実施形態では、パネルゾーン４を場所打ちコンクリートによって形成し、梁２の梁主筋２ａと梁構造体Ｂの梁主筋５ａとの継手位置Ｊをパネルゾーン４に設けているので（図７参照）、鉄筋継手用の空間を別途確保する必要がない。パネルゾーンを鉄筋継手用の空間として利用すれば、場所打ちコンクリートの打設範囲が狭まるので、壁付構造体Ａあるいは梁構造体Ｂのプレキャスト化率を高めることが可能となる。
【００６７】
また、建物の屋上部分に、パラペットを兼ねる屋上構造体Ｃを配置しているので（図１２参照）、供用中の建物の屋上部分において大規模な解体作業等を行わずとも、増築用の壁等を継ぎ足すことができ、ひいては、効率良く建物を増築することが可能となる。
【００６８】
また、本実施形態では、壁付構造体Ａのうち、耐震壁１の全部、梁２の一部および柱３の全部をプレキャスト化し、さらに、パネルゾーン用残存型枠Ａ４までプレキャスト化したので、コンクリート造架構を効率良く構築することが可能となる。
【００６９】
なお、例えば、大型の揚重機械を使用できない場合や揚重機械の作業半径が大きい場合（重量物を吊持できないような場合）には、図１３に示す第一プレキャスト部材Ｄ’を使０用し、壁付構造体のプレキャスト化率を低くすればよい。
【００７０】
第一プレキャスト部材Ｄ’は、図１に示す柱３およびパネルゾーン４を場所打ちコンクリートにて形成する場合に使用されるプレキャスト部材であり、耐震壁用の壁ＰＣａ部Ｄ１と、壁ＰＣａ部Ｄ１の上側に形成された梁ＰＣａ部Ｄ２と、壁ＰＣａ部Ｄ１の両側に形成された柱用残存型枠Ｄ３と、梁ＰＣａ部Ｄ２の両側に形成されたパネルゾーン用残存型枠Ｄ４と、壁ＰＣａ部Ｄ１の両側に配置された一対の柱用鉄筋籠Ｄ５，Ｄ５とを備えている。壁ＰＣａ部Ｄ１、梁ＰＣａ部Ｄ２、柱用残存型枠Ｄ３およびパネルゾーン用残存型枠Ｄ４は、一体成形されている。
【００７１】
壁ＰＣａ部Ｄ１、梁ＰＣａ部Ｄ２およびパネルゾーン用残存型枠Ｄ４の構成は、それぞれ、前記した壁ＰＣａ部Ａ１、梁ＰＣａ部Ａ２およびパネルゾーン用残存型枠Ａ４の構成と同様であるので、詳細な説明は省略する。
【００７２】
柱用残存型枠Ｄ３は、柱３（図１参照）に場所打ちコンクリートを打設する際の型枠として利用され、コンクリート硬化後もそのまま残置される。柱用残存型枠Ｄ３のコンクリート面は、外装面（化粧面）となる。本実施形態の柱用残存型枠Ｄ３は、板状を呈していて、壁ＰＣａ部Ｄ１の両側に形成されている。柱用残存型枠Ｄ３の一方の側縁部は、壁ＰＣａ部Ｄ１の正面側のコンクリート表層部に繋がっており、柱用残存型枠Ｄ３の上縁部は、パネルゾーン用残存型枠Ｄ４の下縁部に繋がっている。柱用残存型枠Ｄ３の内側のコンクリート面からは、図示は省略するが、トラス筋の一部が突出している。なお、トラス筋に代えて、定着筋やアンカー用インサート等を用いてもよい。
【００７３】
柱用鉄筋籠Ｄ５は、柱３の柱主筋３ａ，３ａ，…およびフープ筋３ｂ，３ｂ，…を予め組み立てたものである。柱用鉄筋籠Ｄ５は、柱用残存型枠Ｄ３から突出したトラス筋（図示略）に取り付けられている。壁ＰＣａ部Ｄ１の両側に柱主筋３ａを先組みしておけば、現場での配筋作業が容易になる。
【００７４】
プレキャスト化率の高い第一プレキャスト部材Ａ’（図３参照）だけでなく、プレキャスト化率の低い第一プレキャスト部材Ｄ’を使用すれば、揚重機械の選定作業や配置計画等が容易になり、ひいては、仮設工事の効率化を図ることができる。
【００７５】
なお、図示は省略するが、耐震壁１の躯体部分の一部をプレキャスト化し、残部を場所打ちコンクリートとしてもよいし、耐震壁１の表層部のみをプレキャスト化し、耐震壁１の躯体部分の全部を現場打ちコンクリートとしてもよい。
【００７６】
プレキャスト化率を低下させるためには、柱用残存型枠Ｄ３やパネルゾーン用残存型枠Ｄ４を省略すればよい。柱用残存型枠Ｄ３を省略した場合であっても、柱主筋３ａは、壁横筋などを利用して壁ＰＣａ部Ｄ１の両側に先組みしておくことが好ましい。また、梁２の表層部のみをプレキャスト化し、梁２の躯体部分の全部を現場打ちコンクリートとするか、あるいは、梁２の全部を場所打ちコンクリートとすることでも、プレキャスト化率を下げることができる。なお、梁主筋２ａは、壁縦筋などを利用して壁ＰＣａ部Ｄ１の上側に先組みしておくことが好ましい。
【００７７】
なお、前記した実施形態では、梁構造体Ｂの一部をプレキャスト化し、残部を場所打ちコンクリートで形成したが、梁構造体Ｂの全部をプレキャスト化してもよい。また、前記した実施形態では、梁構造体Ｂの躯体部分をプレキャスト化した場合を例示したが、梁構造体の躯体部分の全部を場所打ちコンクリートとし、残存型枠のみをプレキャスト化してもよい。  
【符号の説明】
【００７８】
Ａ    壁付構造体
１    耐震壁
２    梁
２ａ  梁主筋
３    柱
４    パネルゾーン
Ａ’  第一プレキャスト部材（プレキャストコンクリート部材）
Ａ１  壁ＰＣａ部
Ａ２  梁ＰＣａ部
Ａ３  柱ＰＣａ部
Ａ４  パネルゾーン用残存型枠
Ｂ    梁構造体
５ａ  梁主筋
Ｂ’  第二プレキャスト部材
Ｊ    継手位置
Ｖ  空間
【００７９】
Ｄ’  第一プレキャスト部材（プレキャストコンクリート部材）
Ｄ１  壁ＰＣａ部
Ｄ２  梁ＰＣａ部
Ｄ３  柱用残存型枠
Ｄ４  パネルゾーン用残存型枠
Ｄ５  柱用鉄筋籠
【図１】
0005631817.tif 000002
【図２】
0005631817.tif 000003
【図３】
0005631817.tif 000004
【図４】
0005631817.tif 000005
【図５】
0005631817.tif 000006
【図６】
0005631817.tif 000007
【図７】
0005631817.tif 000008
【図８】
0005631817.tif 000009
【図９】
0005631817.tif 000010
【図１０】
0005631817.tif 000011
【図１１】
0005631817.tif 000012
【図１２】
0005631817.tif 000013
【図１３】
0005631817.tif 000014